(57)【要約】【課題】  配信依頼者が携帯電話機で撮像した映像に広告情報を含む映像を連結した映像をサーバに蓄積するシステムを提供する。【解決手段】  広告映像データを記憶するとともに配信依頼者の携帯電話機からメールサーバを経由してアップロードされた映像データに、管理サーバから取得した情報に基づいてこの広告映像データを結合する処理を行なう映像編集サーバと、映像編集サーバで作成した広告付き映像データを所定の映像保存用ＵＲＬに記憶する映像蓄積サーバを備えた広告付き映像データの蓄積システムである。管理サーバは、アップロードされた映像データに予め設定されたチャンネル番号を割り付け、映像蓄積サーバはこのチャンネル番号をディレクトリとして含む映像保存用ＵＲＬに広告付き映像データを記憶する。さらに、映像蓄積サーバに記憶する広告付き映像データは、携帯電話機とパーソナルコンピュータで視聴可能なデータ形式に変換して記憶する。【選択図】図１
2007300588.tif 000002
【特許請求の範囲】
【請求項１】
管理サーバをアクセスして配信依頼する映像データをメールサーバに送信する配信依頼者の端末装置と、予め固有の広告識別情報が設定された広告映像データを前記広告識別情報と関連付して記憶するとともに、前記メールサーバから送信された前記映像データに、前記広告映像データを結合した広告付き映像データを作成する映像編集サーバと、前記映像編集サーバから送信された前記広告付き映像データを映像保存用ＵＲＬに記憶する映像蓄積サーバから構成され、
さらに、前記管理サーバは、
前記端末装置から配信依頼される前記映像データを、予め前記配信依頼者に割り付けられたチャンネル番号と関連付けして前記メールサーバに送信させる映像アップロード支援手段と、
前記広告識別情報を記憶するとともに、前記映像編集サーバが前記映像データに結合する前記広告映像データに係る前記広告識別情報を決定する広告映像決定手段と、を備え、
前記映像編集サーバは、
前記メールサーバから送信された前記映像データに、前記管理サーバの前記広告映像決定手段が決定した前記広告識別情報に対応する前記広告映像データを結合して前記広告付き映像データを作成する映像結合手段を、備え、
前記映像蓄積サーバは、前記映像編集サーバから送信された前記広告付き映像データを、前記映像保存用ＵＲＬに記憶することを特徴とする広告付き映像データの蓄積システム。
【請求項２】
前記映像蓄積サーバは、前記映像データと関連付けされた前記チャンネル番号を含む前記映像保存用ＵＲＬを作成する映像保存用ＵＲＬ作成手段を備えていることを特徴とする請求項１に記載の広告付き映像データの蓄積システム。
【請求項３】
前記管理サーバは、前記メールサーバに送信された前記映像データに固有の映像識別情報を設定する映像識別情報設定手段を備え、
前記映像蓄積サーバの前記映像保存用ＵＲＬ作成手段は、前記映像データと関連付けされた前記チャンネル番号と前記映像識別情報とを含む前記映像保存用ＵＲＬを作成することを特徴とする請求項２に記載の広告付き映像データの蓄積システム。
【請求項４】
前記映像編集サーバの前記映像結合手段は、前記映像データの先頭位置または終端位置、あるいは前記先頭位置と前記終端位置に前記広告映像データが結合された前記広告付き映像データを作成する手段を備えていることを特徴とする請求項１に記載の広告付き映像データの蓄積システム。
【請求項５】
前記映像蓄積サーバの前記映像保存用ＵＲＬに記憶される前記広告付き映像データは、携帯電話機とパーソナルコンピュータで視聴可能なデータ形式になされていることを特徴とする請求項１に記載の広告付き映像データの蓄積システム。
【請求項６】
前記映像蓄積サーバの前記映像保存用ＵＲＬに記憶される前記広告付き映像データは、前記映像データの先頭位置または終端位置、あるいは前記先頭位置と前記終端位置に前記広告映像データが結合された映像データであることを特徴とする請求項１または請求項５に記載の広告付き映像データの蓄積システム。
【請求項７】
前記配信依頼者の端末装置は、インターネット接続と動画象撮像機能を備えた携帯電話機から構成され、
前記管理サーバは、
前記配信依頼者のユーザーＩＤごとに、前記配信依頼者の前記携帯電話機の機体番号を登録したユーザー管理データベースと、
前記配信依頼者が前記携帯電話機に記憶している前記映像データを前記メールサーバに送信するために前記管理サーバをアクセスしたときに、前記携帯電話機の機体番号を取得して、前記取得した前記機体番号が前記ユーザー管理データベースに登録されているか否かを判定する機体番号認証手段と、
を備えていることを特徴とする請求項１に記載の広告付き映像データの蓄積システム。
【発明の詳細な説明】
【技術分野】
【０００１】  本発明は、携帯電話機等の端末装置で撮像あるいは記憶している映像データを配信依頼するためにＷｅｂサーバにアップロードされたときに、この映像データに広告に関する映像データを結合する処理を行なって、この広告付き映像データを映像蓄積サーバに蓄積するようにしたシステムに関するものである。特に、本発明は、配信依頼者の携帯電話機で撮像した映像データに、広告に関する映像データを結合した映像を映像蓄積サーバに蓄積するためのシステムに関するものである。
【背景技術】
【０００２】  インターネット技術の普及に伴なって、種々の分野において各種の情報やコンテンツを提供するシステムが開発され、実用化されている。この一例として、パーソナルコンピュータから構成される端末装置から検索用のＷｅｂサイトをアクセスすると、検索用のＷｅｂページが表示される。この検索用のＷｅｂページには、各種のバナー広告を表示する領域が設けられているページがある。このバナー広告を表示する領域には、広告用文字、あるいは画像が表示されている。【０００３】  このバナー広告の表示領域をマウス等でクリックすると、広告情報を蓄積したＷｅｂサイトのＵＲＬ（Ｕｎｉｆｏｒｍ  Ｒｅｓｏｕｒｃｅ  Ｌｐｃａｔｏｒ）にリンクして、このバナー広告に係る詳細な情報を、文字情報、画像を含む文字情報、あるいは動画像として閲覧することができる。このように、広告主のＷｅｂサイトのＵＲＬにリンクする方法は、Ｗｅｂページを記述したＨＴＭＬ等の言語内に広告情報を蓄積したＷｅｂサイトのＵＲＬを埋め込むことにより可能になる。【０００４】  一方、近年の携帯電話機に関する技術進歩により、インターネット接続機能を備えた携帯電話機からＷｅｂサイトをアクセスすると、Ｗｅｂサイトが蓄積している各種の情報をこの携帯電話機に配信する情報提供システムも実用化されている。また、３ＧＰＰ（３ｒｄＧｅｎｅｒａｔｉｏｎ  Ｐａｒｔｎｅｒｓｈｉｐ  Ｐｒｏｊｅｃｔ）仕様に準拠した動画像撮像・再生機能を備えた携帯電話機の普及により、携帯電話機で撮像した音声を含む動画像をメールに添付して外国を含む遠方にいる家族や友人の携帯電話機に送信することも行なわれている。【０００５】  このように、携帯電話機で撮像した動画像を、インターネットを利用して他の携帯電話機で再生して視聴することが気楽に行なわれるようになっている。そして、配信依頼者となる各種の企業、団体あるいは個人等が携帯電話機で撮像した動画像（映像）を配信するときに、この動画像に各種の企業等の広告情報を含む動画像等を結合して配信すると、広告効果も得られ、かつ、配信依頼者が配信依頼する課金を無料とした応用分野が極めて広く、かつ、国内のみならず、外国を含んだ携帯電話機による情報配信システムを構築することが可能になる。【０００６】  例えば、旅行サービス会社が各地の観光地の最近の状況を携帯電話機で撮像し、この撮像した映像を広く視聴者の携帯電話機に配信する情報提供サービスが考えられる。このようなサービスシステムにおいて、配信依頼者となる旅行サービス会社は、携帯電話機で撮像した観光地に関する映像をサーバにアップロードする。続いて、サーバでこのアップロードされた映像に広告映像、例えば、自社や航空会社あるいはホテル等の広告映像を結合して一つの映像ファイルとしてサーバに蓄積する。そして、視聴者の携帯電話機からこの映像の視聴要求が発生すると、サーバに蓄積した広告付き映像を視聴者の携帯電話機に配信するシステムにすると、広告主の広告効果も得られる情報配信システムになる。【０００７】  また、配信依頼者が個人の場合、例えば、個人が外国に旅行したときに、携帯電話機で撮像した映像をこの携帯電話機からサーバにアップロードする。そして、サーバでこの携帯電話機で���像した映像に広告映像を結合して一つの映像ファイルとしてサーバに蓄積する。一方、国内にいる家族等が携帯電話機によりサーバにアクセスしてこの映像の視聴要求を行なうと、この携帯電話機で撮像した映像に広告映像を結合した映像を視聴できるようにすることができる。【０００８】  このような映像配信システムを開発して実用化すると、システム管理運営者は、広告主から広告情報の配信に対する対価等を得ることが可能になる。これにより、システム管理運営者は、映像の配信依頼を行なう個人を含む配信依頼者に対して、映像の配信依頼に対する対価（課金）を無料にすることが可能になる。【０００９】  上記した携帯電話機を含む端末装置を利用した映像配信（情報提供）システムを実用化するための技術課題は、配信依頼者が携帯電話機あるいはデジタルビデオカメラ等で撮像した映像ファイルに、広告情報からなる映像ファイルを一つの映像ファイルに効率良く結合してサーバに蓄積することにある。【００１０】  上記した技術課題を解決するために、例えば、下記の特許文献に記載の発明が提案されている。【００１１】
【特許文献１】  特開２００３−１２２６０４号公報
【特許文献２】  特開２００５−１２８４７８号公報
【特許文献３】  特開２００２−１０１３９９号公報
【００１２】  特許文献１には、動画ファイルを複数のデータ形式にコンバートする処理を効率化するための、動画ファイルのコンバート方法が提案されている。同文献１には、このコンバート方法として、まず、複数の動画ファイルを補助記憶装置から読み出して、これら複数の動画ファイルを連結し、連結した動画ファイルを中間ファイルとして主記憶装置に記憶する。続いて、この中間ファイルから、データ形式が相違する複数の動画ファイルを生成して、これら各動画ファイルを補助記憶装置に格納するようにした、動画ファイルのデータ形式をコンバートする方法が記載されている。【００１３】  特許文献２には、広告応募者が作成した映像を用いて広告映像を作成し、この広告応募者が広告宣伝活動に参加することができるようにした広告配信システムが提案されている。同文献には、広告応募者が作成した第１の映像と、広告情報を含む第２の映像とを合成して広告映像を作成してデータベースに記憶し、この合成した広告映像を、ネットワークを介して閲覧可能にした広告配信システムが記載されている。さらに、特許文献２には、この広告映像をＷｅｂサイトから携帯電話機にダウンロードして閲覧可能にすることが記載されている。【００１４】  特許文献３には、インターネットを経由して広告付きの動画を配信するときに、配信要求された動画のカテゴリーごとに広告のカテゴリーを選択することにより、配信要求した利用者にとって関心度の高いカテゴリーの広告用画像データをこの配信要求された動画に結合して配信する広告付き動画の配信装置が記載されている。
【発明の開示】
【発明が解決しようとする課題】
【００１５】  上記特許文献１には、複数の映像ファイルを一つのファイルに統合することが記載されている。しかし、特許文献１には、携帯電話機で撮像した映像ファイルに広告映像を結合した映像を、インターネットを介して、携帯電話機等に配信する技術については開示されていない。【００１６】  特許文献２に記載のシステムは、映像ファイルに広告情報を含む他の映像ファイルを合成して一つの映像ファイルにしてサーバに蓄積した後、携帯電話機等からの配信要求に基づいてこの合成した映像ファイルを配信するようにしたシステムである。特許文献２に記載のシステムにおいては、映像ファイルに広告情報を含む映像ファイルを合成する操作に手間と時間を要する。【００１７】  特許文献３に記載の広告付き動画の配信装置には、配信する動画コンテンツのファイルに広告情報のファイルを結合した動画コンテンツを、配信要求を行なった利用者に配信することが開示されている。しかし、特許文献３には、カメラ機能を有する携帯電話機で撮像した動画像に広告情報のファイルを結合した動画コンテンツを視聴者の携帯電話機に配信することに関しては記載されていない。【００１８】  そこで、本発明の第１の目的は、動画像撮像機能とインターネット接続機能を備えた携帯電話機で撮像した映像データを、インターネットを介してサーバにアップロードし、このアップロードされた映像データに、広告情報からなる広告映像データを結合した広告付き映像データを作成し、この広告付き映像データを映像蓄積サーバに蓄積するようにした広告付き映像データ蓄積システムを提供することにある。【００１９】  本発明の第２の目的は、映像蓄積サーバに蓄積した広告付き映像データを、視聴者の携帯電話機からの視聴要求により携帯電話機に配信することを可能にした広告付き映像データ蓄積システムを提供することにある。
【課題を解決するための手段】
【００２０】  本発明は、管理サーバをアクセスして配信依頼する映像データをメールサーバに送信する配信依頼者の端末装置と、予め固有の広告識別情報が設定された広告映像データを前記広告識別情報と関連付して記憶するとともに、前記メールサーバから送信された前記映像データに、前記広告映像データを結合した広告付き映像データを作成する映像編集サーバと、前記映像編集サーバから送信された前記広告付き映像データを映像保存用ＵＲＬに記憶する映像蓄積サーバから構成され、
さらに、前記管理サーバは、
前記端末装置から配信依頼される前記映像データを、予め前記配信依頼者に割り付けられたチャンネル番号と関連付けして前記メールサーバに送信させる映像アップロード支援手段と、
前記広告識別情報を記憶するとともに、前記映像編集サーバが前記映像データに結合する前記広告映像データに係る前記広告識別情報を決定する広告映像決定手段と、を備え、
前記映像編集サーバは、
前記メールサーバから送信された前記映像データに、前記管理サーバの前記広告映像決定手段が決定した前記広告識別情報に対応する前記広告映像データを結合して前記広告付き映像データを作成する映像結合手段を、備え、
前記映像蓄積サーバは、前記映像編集サーバから送信された前記広告付き映像データを、前記映像保存用ＵＲＬに記憶するようになされている広告付き映像データの蓄積システムである。【００２１】  さらに、本発明は、前記映像蓄積サーバは、前記映像データと関連付けされた前記チャンネル番号を含む前記映像保存用ＵＲＬを作成する映像保存用ＵＲＬ作成手段を備えている広告付き映像データの蓄積システムである。【００２２】  さらに、本発明は、前記管理サーバは、前記メールサーバに送信された前記映像データに固有の映像識別情報を設定する映像識別情報設定手段を備え、
前記映像蓄積サーバの前記映像保存用ＵＲＬ作成手段は、前記映像データと関連付けされた前記チャンネル番号と前記映像識別情報とを含む前記映像保存用ＵＲＬを作成するようになされている広告付き映像データの蓄積システムである。【００２３】  さらに、本発明は、前記映像編集サーバの前記映像結合手段は、前記映像データの先頭位置または終端位置、あるいは前記先頭位置と前記終端位置に前記広告映像データが結合された前記広告付き映像データを作成する手段を備えている広告付き映像データの蓄積システムである。【００２４】  さらに、本発明は、前記映像蓄積サーバの前記映像保存用ＵＲＬに記憶される前記広告付き映像データは、携帯電話機とパーソナルコンピュータで視聴可能なデータ形式になされている広告付き映像データの蓄積システムである。【００２５】  さらに、本発明は、前記映像蓄積サーバの前記映像保存用ＵＲＬに記憶される前記広告付き映像データは、前記映像データの先頭位置または終端位置、あるいは前記先頭位置と前記終端位置に前記広告映像データが結合された映像データになされている広告付き映像データの蓄積システムである。【００２６】  さらに、本発明は、前記配信依頼者の端末装置は、インターネット接続と動画象撮像機能を備えた携帯電話機から構成され、
前記管理サーバは、
前記配信依頼者のユーザーＩＤごとに、前記配信依頼者の前記携帯電話機の機体番号を登録したユーザー管理データベースと、
前記配信依頼者が前記携帯電話機に記憶している前記映像データを前記メールサーバに送信するために前記管理サーバをアクセスしたときに、前記携帯電話機の機体番号を取得して、前記取得した前記機体番号が前記ユーザー管理データベースに登録されているか否かを判定する機体番号認証手段と、
を備えている広告付き映像データの蓄積システムである。【００２７】  上記した映像データとは、携帯電話機で撮像した動画像、あるいはデジタルビデオ等で撮像した映像を示し、音声を含んでいてもよい。【００２８】  上記した配信依頼者とは、各種の企業や団体、あるいは個人等であって、これら配信依頼者が撮像した映像データまたは所有権のある映像データを、本システムの管理運営者（以下、システム管理運営者という）に配信依頼を行なう者を示す。さらに、具体的には、本システムを利用して、携帯電話機あるいはデジタルビデオカメラ等で撮像した映像データを、メールサーバに送信（アップロード）する者を示す。なお、配信依頼者は、本発明のシステムの利用について、予めユーザー登録を行なって、管理サーバをログインするためのユーザーＩＤ（ユーザー名、パスワード）を登録しておく必要がある。【００２９】  また、上記したチャンネル番号とは、システム管理運営者側が予め設定した所定の桁数からなる固有の識別情報（管理番号）である。そして、システム管理運営者は、ユーザー登録した配信依頼者に、一つまたは複数のチャンネル番号を割り付ける。さらに、本システムにおいては、配信依頼者が配信依頼するためにアップロードする映像データ（映像ファイル）には、この配信依頼者に割り付けられたチャンネル番号の一つとの関連付けが行なわれる。これにより、チャンネル番号ごとに、配信依頼者が配信依頼する一つの映像データとの関連付けが行なわれる。【００３０】  上記した広告映像データ（ファイル）とは、各種の企業、団体、サービス産業等（以下、広告主という）の商品やサービスに関するコマーシャル映像（ＣＭ映像）を示す。また、この広告映像データは、音声を含む動画あるいは静止画像であって、現時点の最新の携帯電話機で視聴したときに、その再生時間が約５秒〜１０秒程度のデータ容量を有するようにする。【００３１】  上記した広告付き映像データとは、配信依頼者が配信依頼した映像データに、広告主の広告映像データを結合した一つの映像ファイルを示す。そして、この広告付き映像データは、映像蓄積サーバに蓄積（格納）される。また、本システムにおいて、視聴者の携帯電話機あるいはパーソナルコンピュータから、配信依頼者がアップロードした映像データの視聴（配信）要求が発生すると、映像蓄積サーバに蓄積されている広告付き映像データが視聴要求を行なった携帯電話機あるいはパーソナルコンピュータに配信されることになる。視聴者は配信された映像データを視聴すると、必然的に広告映像も視聴することになる。
【発明の効果】
【００３２】  本発明は、次のような効果を有している。
（１）配信依頼された映像データに広告映像データを結合する処理を行なって一つのファイルとした広告付き映像データを、映像蓄積サーバに蓄積するようにしている。そして、本システムにおいて、視聴者が携帯電話機等により管理サーバをアクセスして視聴要求を行なうと、映像蓄積サーバに蓄積している広告付き映像データが配信されるで、視聴者は配信依頼した映像データと広告映像データとを切れ目なく、連続して視聴することができる。これにり、本発明は、広告主の広告効果も得られる情報配信システムを提供することができる。【００３３】  （２）配信依頼者が配信依頼した映像データに結合する広告映像データの位置は、予め、チャンネル番号管理データベースに登録しておくことにより、映像データごとにその先頭位置または終端位置、あるいは先頭位置と終端位置の双方になるように設定することができる。また、映像データに結合する広告映像データの種類も広告効果が向上するように、予めチャンネル番号管理データベースに登録した映像識別情報に基づいて結合する処理を行なうことができる。例えば、映像データの終端位置には静止画像を５秒程度再生させるような広告映像を結合しておくと、広告効果をより得ることができると考えられる。【００３４】  （３）上記（１）、（２）により、システム管理運営者は、広告主から広告映像を配信することに対して対価を請求することが可能になるので、配信依頼者の配信依頼、および視聴者の視聴要求についてその課金を無料にすることが可能になる。【００３５】  （４）上記（３）により、ユーザー登録した配信依頼者は、国内および外国において携帯電話機で撮像した動画像を、管理サーバをアクセスして何時でも何回でも自分でメールサーバ等にアップロードして、気楽に、かつ簡単な操作で配信依頼することが可能な情報配信システムを提供することができる。【００３６】  （５）配信依頼された映像データに広告映像を結合した広告付き映像データを作成する映像編集サーバと、この広告付き映像データを配信用に蓄積する映像蓄積サーバとを別個にしているので、管理サーバは配信依頼に対する処理と視聴要求に対する処理を短時間で行なうことが可能になる。
【発明を実施するための最良の形態】
【００３７】  以下、本発明を実施するための形態を、図面に基づいて説明する。図１は、本発明のシステムを実施するためのシステム構成の一例を示す。【００３８】  図１において、１ａ、１ｂは配信依頼者の携帯電話機である。携帯電話機１ａ、１ｂは、インターネット接続機能とカメラ機能を備えている必要がある。このカメラ機能としては、本システムの機能をより発揮するためには、３ＧＰＰまたは３ＧＰＰ２（３ｒｄ  Ｇｅｎｅｒａｔｉｏｎ  Ｐａｒｔｎｅｒｓｈｉｐ  Ｐｒｏｊｅｃｔ  ２）により策定された仕様等を備えた音声を含む動画像の撮像と再生機能を備えていることが望ましい。本発明において携帯電話機１ａ、１ｂは、配信依頼者が携帯電話機１ａ、１ｂで撮像した動画像（以下、映像データという）を配信依頼するために、後記するメールサーバ３に送信（アップロード）するために使用される。なお、以下の説明において、配信依頼者の携帯電話機１ａ、１ｂを代表して説明するときは、携帯電話機１と記載する。【００３９】  ２ａ、２ｂは、配信依頼者の端末装置であって、パーソナルコンピュータから構成される。端末装置２ａ、２ｂには、ＷｅｂサイトをアクセスするためのソフトウエアであるＷｅｂブラウダ、メール用ソフトウエア等がインストールされている。端末装置２ａ、２ｂは、主に、配信依頼者がデジタルビデオ装置等で撮像した映像データを配信依頼するために、後記するメールサーバ３に送信する端末装置として使用される。以下の説明において、配信依頼者の端末装置２ａ、２ｂを代表して説明するときは、端末装置２と記載する。【００４０】  ３は、メールサーバである。本発明においてメールサーバ３は、配信依頼者の携帯電話機１、端末装置２から配信依頼する映像データをメールに添付して送信する送信先のサーバとして使用される。メールサーバ３は、映像データを添付したメールを受信すると、後記する管理サーバ６とデータ通信を行なって所定の処理を行なうためのプログラム（メール受信処理プログラム）を備えている。【００４１】  ４は、映像編集サーバである。映像編集サーバ４の外部記憶装置には、広告主の商品、サービス等に関して撮像した広告に関する複数種の映像データ（以下、広告映像データという）が記憶されている。これら広告映像データは、デジタルビデオカメラ等で撮像した映像データがＡＶＩ（Ａｕｄｉｏ  Ｖｉｄｅｏ  Ｉｎｔｅｒｌｅａｖｉｎｇ）のデータ形式で記憶されている。なお、各広告映像データには、これら広告映像を識別する固有の情報となる広告識別情報が予め設定されている。そして、映像編集サーバ４に記憶する広告映像データは、そのファイル名としてこの広告識別情報あるいは広告識別情報と関連付けしたファイル名を付与して外部記憶装置に記憶されている。【００４２】  本発明において、映像編集サーバ４は、配信依頼者が配信依頼した映像データに、外部記憶装置に記憶している前記した広告映像データを結合して一つの映像ファイル（以下、広告付き映像データという）を作成（編集）する映像結合手段となる映像結合プログラムと、この作成した広告付き映像データを携帯電話機あるいはパーソナルコンピュータで視聴可能なデータ形式に変換する処理を行なうデータ変換プログラム等を備えている。なお、配信依頼された映像データに広告映像データを結合する位置は、映像データの先頭位置、または終端位置、あるいは先頭位置と終端位置とする。また、映像データの先頭位置と終端位置に広告付き映像データを結合する場合には、異なる広告付き映像データを結合して広告効果を向上させるようにする。【００４３】  ５は、映像蓄積サーバである。映像蓄積サーバ５は、映像編集サーバ４が編集した広告付き映像データをファイルとして蓄積するサーバである。本発明のシステムにおいて、視聴者の携帯電話機を含む端末装置から配信依頼された映像データの視聴要求が発生すると、映像蓄積サーバ５に蓄積されている広告付き映像データが視聴者の端末装置に配信される。【００４４】  なお、図１には、上記したメールサーバ３、映像編集サーバ４、映像蓄積サーバ５は各１台設置した例を示しているが、システムの規模等の必要に応じてそれぞれ複数台のサーバを国内および外国に分散して設置してもよい。【００４５】  ６は、管理サーバである。管理サーバ６は、主に本発明のシステムの動作を統括して制御するために設けているサーバであって、例えば、システム管理運営者側が管理するサーバである。【００４６】  管理サーバ６は、本発明のシステムの動作を統括して制御するために、主に下記（１）〜（５）に記載のデータベース（テータテーブル）および処理機能を備えている。【００４７】  （１）本発明のシステムを利用して、映像データの配信依頼を行なうことについてユーザー登録を行なった配信依頼者（ユーザー）ごとに、その氏名（名称）、住所、ユーザーＩＤ、メールアドレス、等の属性情報を登録したデータベース（ユーザー管理データベース）を作成して、管理サーバ６の外部記憶装置に記憶している。【００４８】  （２）本発明においては、配信依頼された映像データごとに、システム管理運営者側が予め設定したチャンネル番号を割り付けるようにしている。そして、システム管理運営者側は、このチャンネル番号ごとに、各種の管理データとなるチャンネル番号に関連する情報を登録したデータベース（チャンネル番号管理データベース）を作成して、管理サーバ６の外部記憶装置に記憶している。このチャンネル番号に関連する情報には、前記した広告識別情報、メールサーバ３のＵＲＬ、映像編集サーバ４のＵＲＬ、映像蓄積サーバ５のＵＲＬ、等が含まれている。【００４９】  （３）配信依頼者が配信依頼する映像データを、携帯電話機１、あるいは端末装置２からメールサーバ３に送信（アップロード）するときに、この送信操作を支援するための各種のＷｅｂページ、およびＷｅｂページから取得した情報に基づいて所定の処理を行なうための各種のプログラムを備えている。これらのプログラムには、配信依頼される映像データに予め配信依頼者に設定されたチャンネル番号を割り付ける映像アップロード支援手段となるプログラムが含まれている。【００５０】  （４）配信依頼者が配信依頼する映像データに、結合する広告映像を決めるためにその広告識別情報を決定（選択）する処理を行なう。この広告識別情報の決定は、広告映像決定手段となる広告識別情報決定プログラムにより行なわれる。【００５１】  （５）携帯電話機を含む視聴者の端末装置から映像の視聴要求の受付けの処理と、映像蓄積サーバ５に蓄積している広告付き映像データを視聴者の端末装置に配信する制御を行なう。なお、この視聴要求は、例えば、管理サーバ６がインターネット上に公開する視聴要求用ｗｅｂページを利用して視聴要求する映像データに設定されているチャンネル番号を入力することにより可能にしている。【００５２】  ７ａ、７ｂは、視聴者の携帯電話機であって、インターネット接続機能と３ＧＰＰまたは３ＧＰＰ２形式の動画像を再生する機能を備えている。視聴者の携帯電話機７ａ、７ｂは、上記したように、例えば、管理サーバ６の視聴要求用Ｗｅｂページをアクセスし、視聴したい映像データに設定されているチャンネル番号を入力することにより、管理サーバ６の配信制御に基づいて映像蓄積サーバ５に蓄積されている広告付き映像データを視聴することができる。以下の説明において、視聴者の携帯電話機７ａ、７ｂを代表して説明するときは、携帯電話機７と記載する。【００５３】  ８ａ、８ｂは、パーソナルコンピュータから構成される視聴者の端末装置である。端末装置８ａ、８ｂには、Ｗｅｂブラウザ、ストリーミング映像を再生するためのソフトウエアであるＭｉｃｒｏｓｏｆｔ社の「Ｗｉｎｄｏｗｓ（登録商標）Ｍｅｄｉａ  Ｐｌａｙｅｒ」等がインストールされている。なお、視聴者の端末装置８ａ、８ｂが映像蓄積サーバ５に蓄積されている広告付き映像データを視聴するときには、前記した視聴者の携帯電話機７と同様に、管理サーバ６の視聴要求用Ｗｅｂページをアクセスし、視聴したい映像データに設定されているチャンネル番号を入力する。以下の説明において、視聴者の端末装置８ａ、８ｂを代表して説明するときは、端末装置８と記載する。【００５４】  上記した配信依頼者の端末装置２ａ、２ｂ、メールサーバ３、映像編集サーバ４、映像蓄積サーバ５、管理サーバ６、視聴者の端末装置８ａ、８ｂは、インターネット９に接続されている。また、配信依頼者の携帯電話機１ａ、１ｂ、視聴者の携帯電話機７ａ、７ｂは、地上基地局１０、携帯電話機のサービス会社のサーバ１１を介してインターネット９に接続されている。【００５５】  続いて、本システムの稼動を制御するために、管理サーバ６が備えているデータベースについて説明する。管理サーバ６は、主として図２に示すデータ構成のチャンネル番号管理データベース（データテーブル）Ａと、図３に示すサーバデータベース（データテーブル）Ｂ、図４に示すユーザー管理データベース（データテーブル）Ｃを外部記憶装置に記憶している。【００５６】  チャンネル番号管理データベースＡは、システム管理運営者が予め設定したチャンネル番号ａ１ごとに、チャンネル番号ａ１に関連する各種の情報を登録したデータベースである。図２に示すように、チャンネル番号管理データベースＡは、チャンネル番号ａ１ごとに、広告映像データを提供する広告主ａ２の名称とそのコード、広告主ａ２が提供した広告映像データを識別するための固有の情報となる広告識別情報ａ３、サーバ区分ａ４、ユーザー設定完了ａ５、映像登録完了ａ６、等に関するデータを登録した構成になっている。【００５７】  チャンネル番号管理データベースＡは、主に、配信依頼者���ら配信依頼された映像データがメールサーバ３にアップロードされたときに、メールサーバ３からの送信要求に基づいてこの映像データに結合する広告映像データに係わる広告識別情報の決定、および視聴者の携帯電話機７等が管理サーバ６をアクセスして映像データの視聴要求が発生したときに、映像蓄積サーバ５に蓄積している広告付き映像データを、視聴者の携帯電話機７等に配信する制御を行なうために使用される。【００５８】  チャンネル番号ａ１は、前記したように、システム管理運営者が予め設定した所定の桁数からなる固有の識別情報（管理番号）であって、５〜１２桁程度の数字あるいは英数字から構成される。また、本発明においては、ユーザー登録した配信依頼者の希望により、システム管理運営者は一つまたは複数のチャンネル番号ａ１を配信依頼者に割り付けるようにしている。システム管理運営者が配信依頼者に複数のチャンネル番号ａ１を割り付けた場合には、配信依頼者は同時に複数種の映像データを視聴者に配信することが可能になる。【００５９】  チャンネル番号管理データベースＡに登録している広告識別情報ａ３は、前記したように、映像編集サーバ４に記憶している各広告主の複数種の広告映像データを識別するための固有の情報を示し、２〜５桁程度の数字あるいは英数字から構成される情報である。図２に示す例では、配信依頼者が配信依頼した映像データの先頭位置ａ３−１と終端位置ａ３−２に広告映像データを結合することを示している。例えば、図２に示すチャンネル番号「０００００１」が割り付けられた配信依頼者の映像データには、その先頭位置には広告識別情報「Ａ０１」を有する広告映像データが結合され、終端位置には広告識別情報「Ａ１０」を有する広告映像データが結合されることを示している。また、映像データの終端位置に広告映像を結合しない場合には、該当するチャンネル番号ａ１の映像識別情報ａ３の終端欄ａ３−２に、例えば、「０」を登録する処理を行なう。【００６０】  チャンネル番号管理データベースＡに登録しているサーバ区分ａ４は、本システムで使用するメールサーバ３、映像編集サーバ４、映像蓄積サーバ５が複数になることを前提として、システム管理運営者が本システムで使用するこれらサーバの組合せのパターン（サーバ組合せ区分）を予め決定した情報を示す。システム管理運営者は、この決定したサーバ区分ａ４をチャンネル番号ａ１ごとに登録してチャンネル番号管理データベースＡのサーバ区分ａ４に登録する。【００６１】  チャンネル番号管理データベースＡに登録しているユーザー設定完了ａ５は、配信依頼者から配信依頼された映像データにチャンネル番号ａ１の割り付けが完了しているか否かを記憶するための情報であって、例えば、未設定のときは「０」、設定済みの場合には「１」を記憶するようにする。【００６２】  同じく、映像登録完了情報ａ６は、配信依頼者が配信依頼した映像データについて広告映像データを結合する処理を行ない、この広告付き映像データを映像蓄積サーバ５に蓄積する処理が完了したか否かを記憶するための情報であって、例えば、未完了のときは「０」、完了済みの場合には「１」を記憶するようにする。【００６３】  図３は、チャンネル番号管理データ���ースＡのサーバ区分ａ４に登録したサーバ区分ごとに、その詳細情報を登録したサーバデータベースＢのデータ構成の一例を示している。サーバデータベースＢには、サーバ区分ａ４ごとに携帯電話機１あるいは端末装置２から映像データをメールで送信するメールサーバ３の送信先アドレスｂ１、メールサーバ３から送信されるデータを受信する映像編集サーバ４のＵＲＬ（ｂ２）、映像編集サーバ４から送信されるデータを受信する映像編集サーバ５のＵＲＬ（ｂ３）、等に関する情報が登録されている。【００６４】  図４に示すユーザー管理データベースＣは、本発明のシステムを利用するためにユーザー登録を行なった配信依頼者のＩＤ情報ｃ１（ユーザー名とパスワード）ごとに、配信依頼者のメールアドレスｃ２、システム管理運営者側が配信依頼者に割り付けたチャンネル番号ａ１、配信依頼者が所有している携帯電話機１の機体番号ｃ３、配信依頼者の名称（氏名）と住所Ｃ４等、配信依頼者に関する属性データを登録したデータベースである。【００６５】  ユーザー管理データベースＣは、主に、ユーザー登録を行なった配信依頼者が、管理サーバ６をアクセスして映像データの配信依頼を行なうときに、この配信依頼者の認証と、配信依頼する映像データと配信依頼者に設定したチャンネル番号ａ１との関連付けを行なうために使用される。【００６６】  ユーザー管理データベースＣに登録している携帯電話機の機体番号ｃ３は、配信依頼者が所有している携帯電話機１の機体番号を示す。本システムにおいては、配信依頼者が所有している携帯電話機１が管理サーバ６をアクセスして映像データをメールに添付してメールサーバ３に送信するときに、管理サーバ６はこの配信依頼者を携帯電話機１の機体番号ｃ３で認証することを可能にしている。なお、本発明において、管理サーバ６は、携帯電話機１の機体番号ｃ３を後記するＷｅｂページを利用して取得し、ユーザー管理データベースＣに登録する処理を行なうようにしている。【００６７】  なお、携帯電話機の機体番号ｃ３は、携帯電話機を識別するための固有の識別情報であって、携帯電話機の製造時に所定の桁数からなる数字、または英数字からなる機体番号が携帯電話機の記憶装置に記憶されるようになっている。そして、パーソナルコンピュータ等の外部装置等から携帯電話機に対して機体番号の送信要求を行なうと、携帯電話機はこの携帯電話機に記憶されている機体番号をこの外部装置に送信する処理を行なうプログラムを備えている。本発明のシステムは、携帯電話機が備えているこの機能を利用して、プログラム処理により、配信依頼者が所有している携帯電話機１の機体番号ｃ３を取得し、取得した機体番号ｃ３をユーザー管理データベースＣに登録する処理を行なうようにしている。なお、本発明においては、ＩＣチップからなるＩＣカードを搭載した携帯電話機においては、このＩＣカードに記憶されている識別番号を機体番号ｃ３として登録してもよい。【００６８】  続いて、本発明のシステムを構築して稼動させるために、システム管理運営者等が予め準備しておく事項について説明する。【００６９】  システム管理運営者は、予め下記の事項を行なっておく必要がある。
（１）本発明のシステムを利用して、配信依頼者が配信依頼する映像データに広告映像データを結合するこの広告映像データの広告主を募集する。そして、システム管理運営者は、本発明のシステムを利用して広告映像データの配信について契約した広告主に対して、例えば、広告映像データを結合するチャンネル番号の数に応じた対価を請求するようにする。なお、本発明のシステムにおいては、広告主が配信依頼者になり、映像データに自社の広告映像データを結合するケースもあり得る。【００７０】  （２）広告主とこの広告主から提供される広告映像データが決定すると、広告主と打合せの上、配信依頼される映像データに結合する広告映像データとその映像識別情報を決定する。そして、システム管理運営者側は、広告主と契約した広告映像データを結合するチャンネル数に対応する数のチャンネル番号について、この決定した広告主ａ２と結合する広告映像データに係る広告識別情報ａ３を、チャンネル番号管理データベースＡに登録する。このとき、配信依頼される映像データの先頭位置（ａ３−１）、終端位置（ａ３−２）、あるいは先頭位置と終端位置に如何なる広告映像データを結合するかについても決定する。【００７１】  （３）本発明のシステムを利用して映像データを配信する配信依頼者（ユーザー）を募集する。ユーザー登録した配信依頼者には、ユーザー名ａ５とパスワードを発行するとともに、予め設定したチャンネル番号ａ１の一つまたは複数を割り付け、これらの情報およびメールアドレスｃ２等、配信依頼者に関する属性情報をユーザー管理データベースＣに登録する。【００７２】  （４）本発明のシステムで使用するメールサーバ３、映像編集サーバ４、映像蓄積サーバ５、管理サーバ６を決定するとともに、各サーバが必要とするソフトウエアを開発または準備してインストールする。これらのサーバは、レンタルサーバを使用してもよい。さらに、映像編集サーバ４および映像蓄積サーバ５は、広告主あるいは広告代理店が所有するサーバとすることもできる。また、メールサーバ３、映像編集サーバ４、映像蓄積サーバ５について、本システムが使用するアドレス、ＵＲＬを決定し、これらサーバを複数台分散して使用するときには、各サーバの組合せとそのサーバ区分ａ４を決定してチャンネル番号管理データベースＡに登録する。さらに、サーバデータベースＢに、このサーバ区分ａ４ごとにメールサーバ３のアドレスｂ１、映像編集サーバ４のＵＲＬ（ｂ２）、映像蓄積サーバ５のＵＲＬ（ｂ３）、等に関するデータを登録する。【００７３】  （５）本発明のシステムを稼動させるために管理サーバ６が必要とするソフトウエアは、サーバ用ＯＳ、メール用ソフトウエアの他に、主に、下記のプログラムを開発、あるいは市販ソフトウエアを準備しておく必要がある。【００７４】  （ａ）メール送信プログラム、認証プログラムおよび各種のＷｅｂページ
配信依頼者の携帯電話機１および端末装置２に送付するメールを作成して送信するメール送信プログラムと、配信依頼者の携帯電話機１および端末装置２が管理サーバをアクセスしたときに配信依頼者を認証する認証プログラムと、配信依頼者の携帯電話機１および端末装置２に表示する各種のＷｅｂページを記述するためのプログラムである。これらのＷｅｂページとしては、本システムを利用する配信依頼者の携帯電話機１等が管理サーバ６をアクセスしたときに表示するＷｅｂページ、同じく映像データをメールサーバ３にアップロードする操作を支援するためのＷｅｂページ、および視聴者の携帯電話機７、端末装置８が視聴要求を行なうために管理サーバ６をアクセスしたときに表示するＷｅｂページ、等が含まれる。【００７５】  （ｂ）映像データの配信依頼を処理する配信依頼処理プログラム
配信依頼者が携帯電話機１あるいは端末装置２を使用して、管理サーバ６をアクセスして映像デーアを配信依頼するときに、その配信依頼を処理するプログラムである。この配信依頼処理プログラムには、チャンネル番号管理データベースＡ等を参照して、配信依頼される映像データにチャンネル番号との関連付けを行なう映像アップロード支援手段となるプログラム、この映像データに結合する広告映像データに係る広告識別情報を求める広告映像決定手段となるプログラム、およびメールサーバ３、映像編集サーバ４、映像蓄積サーバ５がそれぞれ必要とする情報を、メールサーバ３を経由あるいは直接各サーバに送信する処理を行なうプログラム、等が含まれる。【００７６】  （ｃ）視聴配信制御プログラム
視聴者が携帯電話機７または端末装置８から管理サーバ６をアクセスして視聴要求を行なったときに、映像蓄積サーバ５に蓄積している広告付き映像データを配信する制御を行なうためのプログラムである。【００７７】  （ｄ）データベース作成プログラム
チャンネル番号管理データベースＡ、サーバデータベースＢ、ユーザー管理データベースＣ等、各種のデータベースに必要とするデータを登録（更新も含む）するためのプログラムである。なお、上記したプログラムは、各種のＷｅｂページを記述したプログラム内に組み込まれて作動する場合もある。【００７８】  （６）メールサーバ３が必要とするソフトウエアは、サーバ用ＯＳの他に、携帯電話機１からのメール受信処理プログラム、管理サーバ６および映像編集サーバ４との通信プログラムでる。【００７９】  （７）映像編集サーバ４が必要とするソフトウエアは、サーバ用ＯＳの他に、主に、下記のプログラムを備えておく必要がある。【００８０】  （ａ）メールサーバ３、管理サーバ６よび映像蓄積サーバ５との通信プログラム。
（ｂ）各種のファイル変換プログラム
例えば、携帯電話機１で撮像した映像データ（３ＧＰＰ形式または３ＧＰＰ２形式）をＡＶＩ形式に変換するプログラム、端末装置２から送信された映像データがＭＰＥＧ−４である場合には、このＭＰＥＧ−４のデータ形式をＡＶＩ形式に変換するプログラム、ＡＶＩ形式の映像データをＷＭＶ（Ｗｉｎｄｏｗｓ（登録商標）Ｍｅｄｉａ  Ｖｉｄｅｏ）形式、３ＧＰＰ形式、あるいは３ＧＰＰ２形式に変換するプログラム等である。これらのファイル変換プログラムは、市販プログラムを流用することができる。【００８１】  なお、上記したＷＭＶのデータ形式とは、動画圧縮のＭＰＥＧ−４を基準にしてＭｉｃｒｏｓｏｆｔ社が開発した動画形式であって、ストリーミング映像を再生するソフトウエアであるＭｉｃｒｏｓｏｆｔ社の「Ｗｉｎｄｏｗｓ（登録商標）Ｍｅｄｉａ  Ｐｌａｙｅｒ」がサポートしているデータ形式である。【００８２】  （ｃ）映像結合プログラム
配信依頼者から配信依頼された映像データであってＡＶＩ形式に変換したこの映像データとＡＶＩ形式の広告映像データとを、一つのＡＶＩ形式からなる広告付き映像データに結合して、一つのファイルに編集する映像結合手段となるプログラムである。この映像結合プログラムは、市販のプログラムを流用することができる。【００８３】  （ｄ）編集制御プログラム
上記ファイル変換プログラムと映像結合プログラムの作動を制御するプログラムである。【００８４】  （８）映像蓄積サーバ５が必要とするソフトウエアは、サーバ用ＯＳの他に、主に、下記のプログラムを備えておく必要がある。
（ａ）映像保存用ＵＲＬ作成プログラム
管理サーバ６から取得した情報に基づいて、広告付き映像データを記憶する保存用ＵＲＬを作成するためのプログラムである。【００８５】  （ｂ）映像配信処理プログラム
視聴者の携帯電話機７あるいは端末装置８が管理サーバ６をアクセスして視聴要求が発生したときに、管理サーバ６の制御に基づいて、映像蓄積サーバ５に蓄積されている広告付き映像データであって配信要求された映像データを、視聴者の携帯電話機７あるいは端末装置８に配信する処理を行なうプログラムである。【００８６】  広告主は、予め次の事項を行なっておく必要がある。
（ａ）デジタルビデオカメラ等を使用して、商品やサービスに関する広告映像データを撮像する。そして、この広告映像データには、そのファイル名として前記した広告映像データを識別する情報である広告識別情報を付与して映像編集サーバ４の外部記憶装置に記憶する操作を行なう。なお、広告映像データのデータ形式はＡＶＩ形式にして映像編集サーバ４に記憶するようにする。広告映像データは、それぞれ視聴者の携帯電話機７で再生したときにその再生時間が５秒〜１０秒程度のデータ容量を有するようにする。また、広告映像データは音声付の動画像あるいは静止画像を連続した映像にしたものであってもよい。【００８７】  上記構成からなる本発明のシステムは、特に、配信依頼者が携帯電話機１で撮像した音声を含む映像データに、広告映像データを結合する処理を行なった広告付き映像データを一つのファイルとして映像蓄積サーバに蓄積し、視聴者からの視聴要求が発生すると、映像蓄積サーバ５に蓄積している広告付き映像データを配信するようにしたシステムに特徴がある。以下、本発明のシステムの動作について説明する。【００８８】（ユーザー登録の手順）
最初に、配信依頼者がシステム管理運営者側に、本システムを利用して映像データの配信依頼を行なうためのユーザー登録を行なう手順について説明する。図５は、配信依頼者がユーザー登録を行なうための手順とその処理の流れを示す図である。このユーザー登録は、配信依頼者（ユーザー）に関する属性情報と、配信依頼者が所有する携帯電話機１の機体番号を取得し、これら取得した情報を管理サーバ６のデータベースに登録する手順から構成されている。以下、図５に示すステップ順に説明する。【００８９】（ステップＳ１）
配信依頼者は、予めシステム管理運営者側が用意しているユーザー登録申込書に、必要事項を記入して、郵送あるいはＦＡＸ等によりユーザー登録の申請を行なう。このユーザー登録申込書には、配信依頼者の氏名（名称）、住所、ユーザー名、パスワード、配信依頼者が所有している携帯電話機１や端末装置２のメールアドレス等の配信依頼者に関する属性情報を入力する欄を設ける。なお、システム管理運営者側は、インターネット９上にユーザー登録に関するＷｅｂページを公開し、配信依頼者はこのＷｅｂページに必要事項を入力して管理サーバ６に送信するようにしてもよい。【００９０】  なお、ユーザー登録申込書には、さらに、下記（１）、（２）に記載の情報も取得するようにする。
（１）配信依頼者は、複数種の映像データを同時に配信依頼することも考えられるので、配信依頼する映像データの数（必要チャンネル数）を入力する欄を設ける。例えば、配信依頼者が旅行サービス会社である場合、携帯電話機１で撮像した各国の観光地の最新の映像等、観光地別に複数種の映像データを同時に配信依頼することが考えられるからである。【００９１】  （２）配信依頼者が配信依頼する映像データに結合する広告主の映像データについて、希望する広告主名（希望広告主名）を取得する。例えば、配信依頼者が旅行サービス会社であって、各地の観光地を紹介する映像データを配信する場合には、広告主としては自社あるいは航空会社、ホテル等が指定できるようにする。また、配信依頼する映像データに広告映像データを結合する位置、すなわち、映像データの先頭位置、終端位置、あるいは先頭位置と終端位置の何れかについて、配信依頼者の希望が取得できるようにする。なお、配信依頼者が企業である場合、この配信依頼者自身が広告映像データを提供する広告主を募集するようにしてもよい。【００９２】（ステップＳ２）
システム管理運営者側は、配信依頼者からユーザー登録申込書を受け取ると、データベース作成プログラムを使用して、ユーザー登録申込書に記入されている配信依頼者の属性情報をユーザー管理データベース（ＤＢ）Ｃに登録する操作を行なう。このとき、ユーザー管理データベースＣに登録する配信依頼者に関する属性情報は、図４に示すように、配信依頼者のＩＤ情報ｃ１ごとに、メールアドレスｃ２、配信依頼者の名称・住所Ｃ４等である。なお、配信依頼者のＩＤ情報ｃ１）は、配信依頼者が管理サーバ６をアクセス（ログイン）するときのユーザー名（ｃ１−１）とパスワードであって、配信依頼者を識別するための固有の情報である。【００９３】  さらに、システム管理運営者側は、ユーザー登録申込書に記入されている必要チャンネル数、希望広告主名と、チャンネル番号管理データベースＡの登録状況（ユーザ設定完了ａ５欄）を考慮して、ユーザー登録の申請を行なった配信依頼者にチャンネル番号を割り付ける。このチャンネル番号の割り付けは、一人の配信依頼者に対して一つ、または複数のチャンネル番号が割り付けられることになる。【００９４】  続いて、システム管理運営者側は、データベース作成プログラムを使用して、チャンネル番号を割り付けた配信依頼者のユーザー名（ｃ１−１）を登録しているユーザー管理データベースＣについて、該当するユーザー名ｃ１のチャンネル番号ａ１欄にこの割り付けたチャンネル番号を登録する。さらに、チャンネル番号管理データベースＡについて、この割り付けたチャンネル番号に対応するユーザー設定完了ａ５欄に「１」を登録する操作を行なう。【００９５】  なお、システム管理運営者側がユーザー登録を行なった配信依頼者に一つまたは複数のチャンネル番号を設定する手順は、チャンネル番号管理データベースＡを参照して、配信依頼者が希望した広告主ａ２がチャンネル番号管理データベースＡに登録されているチャンネル番号であって、かつ、ユーザー設定完了ａ６欄に、未設定を表す「０」が記憶されているチャンネル番号を選択して設定するようにする。【００９６】（ステップＳ３）
システム管理運営者側は、ユーザー登録が完了したことを、配信依頼者にメールで連絡する。このとき、ユーザー登録完了のメールは、ユーザー登録した配信依頼者の携帯電話機１と端末装置２に送信する。図６は、携帯電話機１に送信するユーザー登録完了のメールＧ１の表示例を示している。なお、端末装置２についても、図６と内容と同じ内容のメールを送信するようにする。【００９７】（ステップＳ４）
ユーザー登録を行なった配信依頼者は、上記ステップＳ３により送付されたメールＧ１を見て、ユーザー登録の完了を確認することができる。なお、管理サーバ６のメール送信プログラムは、ユーザー登録完了のメールＧ１において、表示領域ｇ１ａにはユーザー登録を行なった配信依頼者に割り付けた（設定した）チャンネル番号ａ１を表示する。なお、配信依頼者に複数のチャンネル番号を設定した場合には、表示領域ｇ１ａには割り付けた複数のチャンネル番号を表示するようにする。配信依頼者はこのメールＧ１により連絡を受けたチャンネル番号を忘れないように記憶しておく。【００９８】  さらに、メール画面Ｇ１の表示領域ｇ１ｂには、配信依頼者が所有している携帯電話機１の機体番号ｂ４を管理サーバ６に登録する操作を行なうためのログイン用Ｗｅｂページをアクセスするための［ログイン画面］ボタンを表示する。また、［ログイン画面］の下部にはこのログイン用ＷｅｂページのＵＲＬを表示しておき、配信依頼者はこのＵＲＬを携帯電話機１にブックマークとして登録しておくようにするとよい。【００９９】  システム管理運営者側は、上記ステップＳ１〜Ｓ４に記載の手順により、本発明のシステムを利用して映像データの配信依頼を行なうユーザー（配信依頼者）に関する情報を管理サーバ６に登録することができる。【０１００】（機体番号の登録）
続いて、配信依頼者が所有している携帯電話機１の機体番号を管理サーバ６に登録するための手順を、図５に示すステップＳ５〜Ｓ１６に基づいて説明する。なお、携帯電話機１の機体番号を管理サーバ６に登録する目的は、配信依頼者が携帯電話機１で撮像した映像データをメールサーバ３にアップロードするときに、配信依頼者をこの機体番号で認証するためである。配信依頼者は、自分の携帯電話機の機体番号を一度管理サーバ６に登録しておくと、映像データをメールサーバ３にアップロードするときに、配信依頼者のユーザー名とパスワードを入力して管理サーバ６をアクセスする必要がなくなる。これにより、特に、配信依頼者が一旦配信依頼した映像データを新しく撮像した映像に更新して配信依頼するときには、携帯電話機１の簡単な操作によりこの新しい映像データをメールサーバ３にアップロードすることができるようになる。【０１０１】（ステップＳ５）（ステップＳ６）
配信依頼者は自分の携帯電話機１を用いて、上記ステップＳ４によりメールＧ１の表示領域ｇ１ｂに表示されたＵＲＬをアクセスする操作を行なう。この表示領域ｇ１ｂに表示されたＵＲＬは、管理サーバ６が携帯電話機１の機体番号ｂ４を取得する処理と、携帯電話機１で撮像した映像データをアップロードするためのログイン用Ｗｅｂページ（以下、映像アップロード用ログインページという）のＵＲＬを示している。【０１０２】  例えば、配信依頼者がメールＧ１の［ログイン画面］ボタンｇ１ｂをクリックすると、管理サーバ６は、図７に示す映像アップロード用ログインページＧ２を携帯電話機１に表示する処理を行なう。このＷｅｂページＧ２には、通常のログイン、すなわち、ユーザー名とパスワードを入力してログインする表示領域ｇ２ａと、前記した機体番号によりログインするための表示領域ｇ２ｂとを設けている。【０１０３】（ステップＳ７）
配信依頼者は、映像アップロード用ログインページＧ２の表示領域ｇ２ａにユーザー名とパスワードを入力して［ログイン］ボタンｇ２ａ−１をクリックする操作を行なう。なお、このユーザー名とパスワードは、ユーザー登録により決定されたユーザー名（ｃ１−１）とパスワードを入力する。【０１０４】（ステップＳ８）
管理サーバ６は、上記ステップＳ７により配信依頼者のユーザー名とパスワードを取得すると、認証プログラムは取得したユーザー名とパスワードがユーザー管理データベースＣに登録されているか否かを判定する処理を行なう。この判定の結果、登録されている場合には、ユーザー管理データベースＣにおいてこのユーザー名とパスワードが登録されているチャンネル番号ａ１を求めて記憶装置に記憶しておく。なお、上記判定の結果、ユーザー名とパスワードが未登録の場合には、携帯電話機１にエラーメッセージを表示する処理を行なう。【０１０５】（ステップＳ９）
配信依頼者のユーザー名とパスワードがユーザー管理データベースＣに登録されていたので、管理サーバ６のプログラムは、図８に示す映像アップロード用ＷｅｂページＧ３を携帯電話機１に表示する処理を行なう。映像アップロード用ＷｅｂページＧ３は、映像データ（更新する映像データも含む）を配信依頼する操作を行なうための表示領域ｇ３ａと、配信依頼者の携帯電話機１の機体番号を管理サーバ６に登録する操作を行なうための表示領域ｇ３ｂから構成されている。【０１０６】（ステップＳ１０）
配信依頼者は、未だ、携帯電話機１の機体番号を管理サーバ３に登録していないので、登録映像アップロード用ＷｅｂページＧ３の表示領域ｇ３ｂに表示されている［端末登録］ボタンｇ３ｂ−１をクリックする操作を行なう。【０１０７】（ステップＳ１１）
管理サーバ６は、映像アップロード用ＷｅｂページＧ３の［端末登録］ボタンｇ３ｂ−１がクリックされると、図９に示すＷｅｂページＧ４を携帯電話機１に表示する処理を行なう。ＷｅｂページＧ４は、携帯電話機１の機体番号を管理サーバに送信（登録）することについて、配信依頼者の承諾を得るためのＷｅｂページである。【０１０８】（ステップＳ１２）（ステップＳ１３）
配信依頼者がＷｅｂページＧ４の［ＹＥＳ］ボタンをクリックすると、ＷｅｂページＧ４に組み込まれている機体番号取得プログラムが作動して、携帯電話機１の記憶装置に記憶されている機体番号を読み出し、この読み出した機体番号を管理サーバ６に送信する処理を行なう。【０１０９】（ステップＳ１４）（ステップＳ１５）
管理サーバ６は、ステップＳ１３により機体番号を取得すると、データベース作成プログラムを作動させる。データベース作成プログラムは、ステップＳ８により記憶装置に記憶したチャンネル番号に対応するユーザー管理データベースＣの機体番号ｃ３欄に、この取得した機体番号を登録する処理を行なう。続いて、管理サーバ６は、携帯電話機１に図１０に示す機体番号登録完了のＷｅｂページＧ５を表示する。このＷｅｂページＧ５の表示領域ｇ５ａには携帯電話機１の機体番号が登録されたチャンネル番号を表示する。一人の配信依頼者に複数のチャンネル番号が割り付けられている場合には、表示領域ｇ５ａに複数のチャンネル番号が表示される。また、表示領域ｇ５ｂには、図７に示す映像アップロード用ログインページＧ２に進むための［ログイン画面］ボタンｇ５ｂを表示する。【０１１０】（ステップ１６）
配信依頼者は、機体番号登録完了のＷｅｂページＧ５を見て、自分の携帯電話機１の機体番号に対応して設定されたチャンネル番号を確認することができる。そして、配信依頼者は、引き続いて携帯電話機１で撮像した映像データをメールサーアにアップロードするときには、ＷｅｂページＧ５に表示されている［ログイン画面］ボタンｇ５ｂをクリックする。【０１１１】（映像データのアップロード）
続いて、配信依頼者が携帯電話機１で撮像した映像データを配信依頼するためにメールサーバ３にアップロードし、さらに、このアップロードされた映像データに広告映像データを結合し、広告映像データを結合した広告付き映像データを映像蓄積サーバ５に記憶する手順とその処理内容を、図１１に示すステップ順に説明する。【０１１２】（ステップＳ２０）（ステップＳ２１）
配信依頼者は、携帯電話機１から管理サーバ６がインターネト９上に公開する映像アップロード用ログインページＧ２のＵＲＬをアクセスし、表示画面に図７に示す映像アップロード用ログインページＧ２を表示する操作を行なう。【０１１３】（ステップＳ２２）（ステップＳ２３）
配信依頼者は、前記したステップＳ５〜Ｓ１６により携帯電話機１の機体番号を管理サーバ６に登録済みであるので、映像アップロード用ログインページＧ２に表示されている［Ｅａｓｙ］ボタンｇ２ｂ−１をクリックする。すなわち、配信依頼者は、自分の携帯電話機１の機体番号を管理サーバ６に登録しているので、映像アップロード用ログインページＧ２の表示領域ｇ２ａに、面倒なユーザー名とパスワードを入力しなくても管理サーバにログインすることが可能になる。【０１１４】  映像アップロード用ログインページＧ２を記述するプログラム言語内には、携帯電話機１の機体番号を読み出して管理サーバ６に送信する処理を行なう機体番号取得プログラムが組み込まれている。これにより、配信依頼者が［Ｅａｓｙ］ボタンｇ２ｂ−１をクリックすると、管理サーバ６は配信依頼者がアクセスした携帯電話機１の機体番号を取得することができる。【０１１５】（ステップＳ２４）
ステップＳ２４において、管理サーバ６は次の処理を行なう。
（１）管理サーバ６は機体番号認証手段となる認証プログラムを作動させて、ステップＳ２３により取得した機体番号がユーザー管理データベースＣに登録されているか否かを判定する処理を行なう。すなわち、配信依頼者が管理サーバ６に事前に登録した携帯電話機１を使用して映像データをアップロードしようとしているか否かの認証処理を行なう。【０１１６】  （２）上記（１）の判定結果、取得した機体番号がユーザー管理データベースＣに登録されていると、正常な配信依頼者が映像データをアップロードしようとしている判定し、取得した機体番号に対応してユーザー管理データベースＣに登録されているチャンネル番号を求めて記憶装置に記憶する。なお、携帯電話機１から取得した機体番号がユーザー管理データベースＣに未登録の場合には、管理サーバ６は、携帯電話機１に「機体番号未登録」を示すメッセージを表示するようにする。【０１１７】（ステップＳ２５）
管理サーバ６は、図８に示す映像アップロード用ＷｅｂページＧ３を携帯電話機１に表示する処理を行なう。【０１１８】（ステップＳ２６）
配信依頼者は、映像アップロード用ＷｅｂページＧ３の表示領域ｇ３ａに表示されている［映像登録］ボタンｇ３ａ−１をクリックする。【０１１９】（ステップＳ２７）
映像アップロード用ＷｅｂページＧ３の［映像登録］ボタンｇ３ａ−１がクリックされると、管理サーバ６は、図１２に示すチャンネル指定用ＷｅｂページＧ６を携帯電話機１に表示する処理を行なう。チャンネル指定用ＷｅｂページＧ６の表示領域ｇ６ａには、ステップＳ２４により記憶装置に記憶したチャンネル番号を表示する。チャンネル指定用ＷｅｂページＧ６は、予め配信依頼者に割り付けられたチャンネル番号を表示して、これからメールサーバ３にアップロードする映像データとこの配信依頼者に割り付けられたチャンネル番号との関連付け、すなわち、これからアップロードする映像データにチャンネル番号を割り付ける操作を支援するためのＷｅｂページである。従って、配信依頼者に複数のチャンネル番号が割り付けられている場合には、管理サーバ６はＷｅｂページＧ６の表示領域ｇ６ａにこの複数のチャンネル番号を表示する処理を行なう。このチャンネル指定用ＷｅｂページＧ６は、映像アップロード支援手段を構成することになる。【０１２０】（ステップＳ２８）
配信依頼者は、チャンネル指定用ＷｅｂページＧ６の表示領域ｇ６ａに表示されているチャンネル番号を指定して、［送信］ボタンｇ６ｂをクリックする操作を行なう。このとき、表示領域ｇ６ａに複数のチャンネル番号が表示されている場合には、そのいずれか一つを指定して、［送信］ボタンｇ６ｂをクリックする操作を行なう。これにより、管理サーバ６は配信依頼者が指定した一つのチャンネル番号を取得できることになる。【０１２１】（ステップＳ２９）
管理サーバ６は、チャンネル指定用ＷｅｂページＧ６からチャンネル番号を取得すると、この取得したチャンネル番号を記憶装置に記憶する処理を行なう。続いて、図１３に示す映像送信依頼用ＷｅｂページＧ７を携帯電話機１に表示する処理を行なう。映像送信依頼用ＷｅｂページＧ７は、配信依頼者に対して、携帯電話機１に記憶している配信依頼用の映像データをメールに添付して、表示領域ｇ７ａに表示しているメールサーバ３のメールアドレスに送信することを依頼するためのＷｅｂページでる。【０１２２】  なお、映像送信依頼用ＷｅｂページＧ７の表示領域ｇ７ａには、例えば、携帯電話機１がメールを送信するメールサーバ３のメールアドレスを表示する。このメールアドレスは、ステップＳ２８により携帯電話機１から取得したチャンネル番号に対応してチャンネル番号管理データベースＡに登録されたサーバ区分ａ４であって、サーバデータベースＢに登録されているメールサーバのアドレスｂ１を表示する処理を行なう。また、ＷｅｂページＧ７の表示領域ｇ７ｂには、映像データを添付したメールを管理サーバ６に送信する期限日時も表示する。そして、管理サーバ６は、ＷｅｂページＧ７を携帯電話機１に表示する処理を行なうと、経過時間をカウントするプログラムを作動させて経過時間をカウントする処理を行なう。【０１２３】  さらに、管理サーバ６は、ステップＳ２９の処理において、携帯電話機１が映像データを添付したメールをメールサーバ３に送信するためのメールの件名（メール件名）を自動生成し、このメール件名をステップＳ２８により携帯電話機１から取得したチャンネル番号に関連付けて記憶装置に記憶する処理を行なう。また、映像送信依頼用ＷｅｂページＧ７を記述した言語内には、携帯電話機１がこのメール件名を管理サーバ６から取得し、次のステップＳ３０により携帯電話機１がメールをメールサーバ３に送信するときにこの取得したメール件名が、メールの件名とする処理を行なうプログラムを埋め込んでおくようにする。【０１２４】（ステップＳ３０）
配信依頼者は、映像送信依頼用ＷｅｂページＧ７の表示領域ｇ７ａをクリックする操作を行なう。表示領域ｇ７ａをクリックすると、ＷｅｂページＧ７を記述する言語内に組み込まれているプログラムにより、携帯電話機１のメール送信プログラムが作動して、管理サーバ６が自動生成したメール件名がメールの件名になり、携帯電話機１の記憶装置に記憶されている映像データを添付したメールが、表示領域ｇ７ａに表示されているメールサーバ３のメールアドレスに送信される。【０１２５】（ステップＳ３１）
メールサーバ３のメール受信処理プログラムは、まず、受信したメールについてその件名を求める処理を行なう。続いて、このメールの件名を管理サーバ６に送信して、管理サーｂ６に対して、このメールの件名に係るチャンネル番号に関する情報の送信要求を行なう。なお、携帯電話機１の記憶装置に記憶されている映像データは、３ＧＰＰあるいは３ＧＰＰ２のデータ形式で記憶されているので、メールサーバ３が受信した映像データは、同じく３ＧＰＰあるいは３ＧＰＰ２のデータ形式になる。【０１２６】（ステップＳ３２）
管理サーバ６は、メールサーバ３からメール件名に関する情報を受信すると、次の（１）、（２）に記載の処理を行なう。【０１２７】  （１）受信したメール件名が、ステップＳ２９により記憶装置にチャンネル番号と関連付けして記憶したメール件名と同一であるか否かを判定する。この判定の結果、同一であると判定された場合には、このチャンネル番号に対応して、チャンネル番号管理データベースＡ、サーバデータベースＢに登録されているこのチャンネル番号に関する各種の情報を求める処理を行なう。【０１２８】  上記したチャンネル番号に関する情報とは、下記の情報を示す。
（ａ）チャンネル番号管理データベースＡに登録されている映像識別情報ａ３。この広告識別情報ａ３は、映像データの先頭に結合する広告映像データの広告識別情報ａ３−１と、終端に結合する広告映像データの広告識別情報ａ３−２が含まれる。
（ｂ）サーバデータベースＢに登録されている映像編集サーバ４のＵＲＬ（ｂ２）。
（ｃ）サーバデータベースＢに登録されている映像蓄積サーバ５のＵＲＬ（ｂ３）。【０１２９】  （２）続いて、管理サーバ６は、ステップＳ２９により記憶装置にチャンネル番号（携帯電話機１から取得したチャンネル番号）と、上記したチャンネル番号に関する情報（ａ）、（ｂ）、（ｃ）をメールサーバ３に送信する処理を行なう。【０１３０】  なお、ステップＳ３２の処理において、上記したステップＳ２９で経過時間をカウントした時間値が所定の時間を経過しても、メールサーバ３からメール件名に関する情報の送信がない場合には、配信依頼者の映像データのアップロードに対するアクセスを無効にする処理を行なう。【０１３１】（ステップＳ３３）
メールサーバ３は管理サーバ６から上記したチャンネル番号に関する情報を受信すると、管理サーバ６から受信した映像編集サーバ４の受信用ＵＲＬ（ｂ２）をアクセスして、携帯電話機１から受信した映像データと、管理サーバ６から受信したチャンネル番号と、このチャンネル番号に関する上記した情報（ａ）、（ｃ）を映像編集サーバ４に送信する。【０１３２】（ステップＳ３４）
映像編集サーバ４の受信処理プログラムは、メールサーバ３から映像データ、チャンネル番号とこのチャンネル番号に関する上記した情報を受信すると、編集制御プログラムを作動させる。そして、編集制御プログラムは、ファイル変換プログラムど映像結合プログラムを作動させて、次の処理を行なう。【０１３３】  （１）配信依頼者の携帯電話機１からメールサーバ３を経由してアップロードされた３ＧＰＰ形式等の映像データを、一旦、ファイル変換プログラムによりＡＶＩ形式のデータに変換する処理を行なう。
（２）続いて、映像結合プログラムにより、ＡＶＩ形式に変換した上記映像データに、予め映像編集サーバ４の外部記憶装置に記憶しているＡＶＩ形式の広告映像データであって、メールサーバ３から受信した映像識別情報あるいはこの映像識別情報に関連付けされたファイル名が付与された広告映像データを結合する処理を行なう。この広告映像データの結合は、メールサーバ３から受信した映像識別情報に従って、映像データの先頭位置、終端位置、あるいは先頭位置と終端位置の何れかに広告映像データを結合する処理を行なって、一つのファイルからなる広告付き映像データを作成する処理を行なう。【０１３４】  （３）続いて、上記（２）で作成したＡＶＩ形式の広告付き映像データを、ＷＭＶ形式と３ＧＰＰ形式のデータにエンコードする処理を行なう。携帯電話機用のデータ形式である３ＧＰＰ形式にエンコードした広告付き映像データは、携帯電話機で視聴したときに、その視聴時間が計３０秒程度、例えば、映像データの先端位置と終端位置に広告映像を結合した場合、先端位置と終端位置に結合した広告映像の視聴時間が各５秒程度、映像データの視聴時間が約２０秒程度になるようにエンコードする。【０１３５】  （４）続いて、メールサーバ３から受信した映像蓄積サーバ５の受信用ＵＲＬ（ｂ３）をアクセスして、ＷＭＶ形式と３ＧＰＰ形式のデータにエンコードした上記した広告付き映像データと、メールサーバ３から受信したチャンネル番号を、映像蓄積サーバ５に送信する処理を行なう。【０１３６】（ステップＳ３５）
映像蓄積サーバ５は、映像編集サーバ４から上記ステップＳ３４の処理によりデータを受信すると、受信した広告付き映像データを一旦外部記憶装置に記憶した後、次の処理を行なう。【０１３７】  受信した３ＧＰＰ形式の広告付き映像データについて、この映像データから３ＧＰＰ２形式のデータを作成する。この処理は、３ＧＰＰ形式のデータを３ＧＰＰ２形式のデータに変換するソフトウエアを使用して行なうことができる。これにより、映像蓄積サーバ５の外部記憶装置には、配信依頼者から配信依頼された映像データに広告付き映像データが結合された３ＧＰＰ形式、３ＧＰＰ２形式、およびＷＭＶ形式の映像データが一旦記憶される。【０１３８】  なお、広告付き映像データについて、携帯電話機用の映像データ形式である２種の３ＧＰＰ形式と３ＧＰＰ２形式を作成する理由は、現在、携帯電話機で再生可能な動画像のデータ形式は、携帯電話機サービス会社により、それぞれ３ＧＰＰ形式あるいは３ＧＰＰ２形式が採用されているからである。本発明において、映像蓄積サーバ５に蓄積する広告付き映像データは、携帯電話機で視聴可能なデータ形式と、パーソナルコンピュータで視聴可能なデータ形式にそれぞれ変換した映像ファイルが記憶されるようにする。【０１３９】  なお、上記（１）の３ＧＰＰ２形式の広告付き映像データを作成する処理は、映像編集サーバ４で実行してもよいが、映像編集サーバ４から映像蓄積サーバ５へのデータ転送の回線負荷を考慮すると、映像蓄積サーバ５で実行することが望ましい。【０１４０】  （２）続いて、映像保存用ＵＲＬ作成手段となる映像保存用ＵＲＬ作成プログラムにより、ＷＭＶ形式、３ＧＰＰ形式、３ＧＰＰ２形式の広告付き映像データを、映像蓄積サーバ５の外部記憶装置に記憶して蓄積（保存）するエリアとなる映像保存用ＵＲＬを作成する処理を行なう。この映像保存用ＵＲＬは、映像編集サーバ４から受信したチャンネル番号をディレクトリ情報として含むＵＲＬを作成するようにする。【０１４１】  映像保存用ＵＲＬ作成プログラムは、広告付き映像データを蓄積する映像蓄積サーバの映像保存用ＵＲＬを、例えば、下記（Ｕ１）の構成になるように作成する。
（Ｕ１）  ／スキーム名／映像蓄積サーバのドメイン名／ｍｏｖｉｅｓ／チャンネル番号／チャンネル番号．拡張子
なお、上記映像保存用ＵＲＬにおいて、「ｍｏｖｉｅｓ」は、最上位のホルダ名を示す。【０１４２】  上記（ａ）に記載の映像保存用ＵＲＬの構成について、チャンネル番号管理データベースＡにより、チャンネル番号が［０００００１］が割り付けられ、３ＧＰＰ形式の映像データを蓄積する映像保存用ＵＲＬは、下記（Ｕ２）のようになる。
（Ｕ２）  ／ｈｔｔｐ：／ｗｗｗ．ｓｔｏｃｋ．ｎｅｔ／ｍｏｖｉｅｓ／００００００１／０００００１．３ｇｐｐ【０１４３】  （３）上記（２）により作成した映像保存用ＵＲＬに、広告付き映像データを記憶する処理を行なう。上記（Ｕ２）に記載の映像保存用ＵＲＬのディレクトリ［０００００１］に、３ＧＰＰ、３ＧＰＰ２、ＷＭＶ形式の３種の広告付き映像データのファイルが記憶されることになる。映像保存用ＵＲＬを上記（Ｕ２）の構成にすると、チャンネル番号のボルダ内にこのチャンネル番号を持つ広告付き映像データの各ファイルが記憶されることになるので、視聴者の視聴要求はチャンネル番号の指定により可能になる。【０１４４】  （４）続いて、管理サーバ６に、広告映像付きデータの保存処理完了を示す情報を、上記映像保存用ＵＲＬの作成に使用したチャンネル番号とともに送信する。【０１４５】（ステップＳ３６）
管理サーバ６は、映像蓄積サーバ５から広告映像付きデータの保存処理完了を受信すると、チャンネル番号管理データベースＡの該当するチャンネル番号の映像登録完了ａ６欄に「１」を記憶する処理を行なう。また、管理サーバ６は、広告映像付きデータの保存処理完了を受信すると、配信依頼者の携帯電話機１に「映像登録完了」を示すメールを送信してもよい。【０１４６】  上記したステップＳ２０〜Ｓ３６の手順により、配信依頼者が携帯電話機１で撮像した映像データを、管理サーバ６をアクセスして管理サーバ６の指示でメールサーバ３に送信し、管理サーバ６の制御に基づいて、映像編集サーバ４でこの映像データに広告映像を結合した広告付き映像データを作成し、この広告付き映像データを映像蓄積ザーバ５に蓄積することができる。【０１４７】  なお、上記した図１１に示すステップＳ３１〜Ｓ３２においては、管理サーバ６がメールサーバ３からメールの件名に係るチャンネル番号に関する情報の送信要求を受信したときに、管理サーバ６は、下記の情報（ａ）、（ｂ）、（ｃ）を纏めてメールサーバ３に送信するようにした例について説明した。【０１４８】  （ａ）チャンネル番号管理データベースＡに登録されている映像識別情報ａ３。この広告識別情報ａ３は、映像データの先頭に結合する広告映像データの広告識別情報ａ３−１と、終端に結合する広告映像データの広告識別情報ａ３−２が含まれる。
（ｂ）サーバデータベースＢに登録されている映像編集サーバ４のＵＲＬ（ｂ２）。
（ｃ）サーバデータベースＢに登録されている映像蓄積サーバ５のＵＲＬ（ｂ３）。【０１４９】  本発明においては、管理サーバ６は、各メールサーバ３、映像編集サーバ４、映像蓄積サーバ５からのデータ送信要求に基づいて、各サーバがそれぞれ処理を実行するときに、必要とするチャンネル番号に関する情報を、下記のように送信するようにしてもよい。【０１５０】  （１）メールサーバ３からの送信要求を受信すると、上記（ｂ）に関する情報をメールサーバ３に送信する。
（２）映像編集サーバ４からの送信要求を受信すると、上記（ａ）と（ｃ）に関する情報を映像編集サーバ４に送信する。
（３）映像蓄積サーバ４からの送信要求を受信すると、携帯電話機１から取得したチャンネル番号を映像編集サーバ４に送信する。【０１５１】  続いて、本発明の第２の実施形態について説明する。第２の実施形態は、次のニーズに対応できるシステムにしたものである。
すなわち、配信依頼者が配信依頼する映像データには、一つのチャンネル番号が割り付けられるが、配信依頼者側の必要性に応じて、最新の映像データを順じ視聴者に配信すること、あるいは、所定の配信期間ごとに新規な映像を配信することがあり得る。このようなニーズに迅速に対応するためには、最新の映像データが配信開始日時より前に映像蓄積サーバに蓄積されるようにすることが望ましい。【０１５２】  この第２の実施形態は、前記した管理サーバ６のステップＳ３２の処理において、配信依頼者が配信依頼した映像データに固有の映像識別情報をプログラム処理により自動生成する機能を備えるようにしたものである。そして、この生成した映像識別情報を、チャンネル番号とともに映像蓄積サーバ５の映像保存用ＵＲＬのディレクトリを構成する要素として利用するようにしたことに特徴がある。【０１５３】  上記した映像識別情報は、１０〜１５桁程度の数字あるいは英数字からなる識別番号であって、管理サーバ６の映像識別情報作成プログラムにより自動生成するようにする。この映像識別情報作成プログラムは、例えば、乱数発生プログラムにより発生した所定桁数の乱数値と当日の年月日を並べて１０〜１５桁の数列を作成し、この数列の要素を所定のルールで並び換えることにより固有の識別番を作成するようにする。【０１５４】  第２の実施形態においては、ステップＳ３２の処理で、映像識別情報作成プログラムが作成した映像識別情報を、ステップＳ２８により携帯電話機１から取得したチャンネル番号に関連付けて記憶装置に記憶するとともに、作成した映像識別情報ｄ１とこのチャンネル番号ａ１とを関連つけて図１４に示す映像識別情報データベース（データテーブル）Ｄに記憶する処理を行なう。図１４に示す例では、同一のチャンネル番号に異なった映像識別情報を登録した例を示している。【０１５５】  そして、管理サーバ６は、ステップＳ３２の処理において、メールサーバ３にこのチャンネル番号と、チャンネル番号に関連する情報を送信するときに、自動生成した映像識別情報ｄ１もメールサーバ３に送信する。そして、映像蓄積サーバ５はこの映像識別情報ｄ１を、メールサーバ３から映像編集サーバ４を経由して取得するようにする。なお、映像蓄積サーバ５がこの映像識別情報ｄ１を取得する方法は、前記したように映像蓄積サーバ５からの送信要求にもとづいて、管理サーバ６はチャンネル番号と映像識別情報ｄ１を映像蓄積サーバ５に送信するようにしてもよい。【０１５６】  映像蓄積サーバ５の映像保存用ＵＲＬ作成プログラムは、広告付き映像データを映像蓄積サーバ５の外部記憶装置に記憶するための映像保存用ＵＲＬを、管理サーバ６から取得したチャンネル番号と映像識別情報ｄ１に基づいて、下記（Ｕ３）の構成からなるＵＲＬを作成する処理を行なう。保存用ＵＲＬ（Ｕ３）は、広告付き映像データのファイル名に映像識別情報ｄ１を付与し、その上位のホルダ名をチャンネル番号にしたことに特徴がある。
（Ｕ３）  ／スキーム名／映像蓄積サーバのドメイン名／チャンネル番号／映像識別情報．拡張子【０１５７】  このＵＲＬ（Ｕ３）を前記した映像保存用ＵＲＬ（Ｕ２）に当てはめると下記（Ｕ４）になる。なお、このときの映像データの映像識別番号は１０桁の［０００００００００１］とする。
（Ｕ４）  ／ｈｔｔｐ：／ｗｗｗ．ｓｔｏｃｋ．ｎｅｔ／ｍｏｖｉｅｓ／００００００１／１００００００００１．３ｇｐｐ【０１５８】  図１４に示す映像識別情報データベースＤにおいて、配信期間ｄ２に登録されているデータは、映像識別情報が設定された映像データの配信開始日時と終了日時を示す。この配信期間ｄ２の登録は、例えば、図１２に示すチャンネル指定用ＷｅｂページＧ６を利用して配信期間ｄ２を取得するようにする。さらに、このチャンネル指定用ＷｅｂページＧ６を利用して、映像データのタイトル名も取得するようにしてもよい。【０１５９】  上記した第２の実施形態においては、次のような効果を発揮することができる。
（１）配信依頼者が配信依頼する映像データごとに、チャンネル番号とこのチャンネル番号に対応した映像識別番号が割り付けられる。そして、この映像データに広告映像データを結合した広告付き映像データは、映像識別サーバ５に上記した（Ｕ３）から構成される映像保存用ＵＲＬに記憶される。これにより、後記するように、視聴者が携帯電話機７または端末装置８から管理サーバ６をアクセスしてチャンネル番号を指定して視聴要求を行なったときに、管理サーバ６の視聴配信制御プログラムは映像識別情報データベースＤを参照することにより、配信要求されたチャンネル番号と同一のチャンネル番号であっても、視聴要求日が配信期間ｄ２を満たしている映像識別情報が設定された映像を選択して視聴者に配信することが可能になる。【０１６０】  （２）配信依頼者が個人であって、この配信依頼者が配信依頼した映像を遠方にいる特定の個人、例えば、個人や友人等に視聴してもらう場合、あるいは、配信依頼者が企業であって、例えば、視聴者となるユーザー会員等に映像データを配信する場合、これら視聴者が視聴要求するときに上記した映像識別番号を、または映像識別番号とチャンネル番号を入力して視聴要求を行なうようにすると、視聴に対するセキュリティを確保することができるようになる。【０１６１】  続いて、配信依頼者がパーソナルコンピュータから構成される端末装置２を操作して管理サーバ６をアクセスして、端末装置２に記憶している映像データを配信依頼するための手順とその処理内容の概要について説明する。この手順は下記のようになる。【０１６２】  （１）まず、配信依頼者は、デジタルビデオカメラ等を使用して配信依頼する映像データを撮像する。続いて、この撮像した映像データを、例えば、ＡＶＩ形式のデータで端末装置２の外部記憶装置に記憶する。また、本システムは、配信依頼された映像データを視聴者の携帯電話機７で視聴することを主目的としているので、端末装置２の外部記憶装置に記憶するＡＶＩ形式のデータは、現在の携帯電話機の性能を考慮して携帯電話機７で視聴したときの再生時間が２０秒〜２５秒程度の長さになるデータ容量にする。【０１６３】  （２）配信依頼者は、端末装置２を操作して管理サーバ６がインターネット９上に公開する映像アップロード用ログインページをアクセスする。このアクセスにより、管理サーバ６は、例えば、図７に示す映像アップロード用ログインページＧ２において、表示領域ｇ２ａに示すようなパーソナルコンピュータ用のログイン用Ｗｅｂページを端末装置２に表示する。【０１６４】  （３）続いて、配信依頼者はログイン用Ｗｅｂページに、ユーザー名とパスワードを入力して管理サーバ６に送信する操作を行なうと、管理サーバ６は配信依頼者の認証処理を行なう。【０１６５】  （４）管理サーバ６の認証プログラムは、正当な配信依頼者がアクセスしたと判定すると、例えば、図１２に示すようなチャンネル指定用ＷｅｂページＧ６を配信依頼者の端末装置２に表示して、配信依頼者が配信依頼する映像データに設定するチャンネル番号を取得する処理を行なう。【０１６６】  （５）管理サーバ６は、配信依頼者の端末装置２からチャンネル番号を取得すると、映像データをメールに添付���て送信する送信先となるメールサーバ３の送信先のアドレスと、このメールの件名、およびこのメールを送信する期限日時を表示したメールを配信依頼者の端末装置２に送信する。【０１６７】  （６）配信依頼者は、端末装置２を操作して配信依頼する映像データを添付したメールを、上記（５）により連絡を受けたメールサーバ３のアドレスにメールを送信する。【０１６８】  以降の処理内容は、図１１に示すステップＳ３１〜Ｓ３６と同様な処理を行なうようにする。なお、ステップＳ３１のメールサーバ３のメール受信処理において、端末装置２から送信された映像データのデータ容量が予め設定した容量より大きい場合には、この映像データの受信を受付けない処理を行なうようにする。【０１６９】（視聴要求）
続いて、本発明のシステムを利用して視聴者が携帯電話機７または端末装置８を操作して映像蓄積サーバ５に蓄積されている映像の視聴要求を行なう手順とその処理について説明する。この手順は下記のようになる。【０１７０】  （１）システム管理運営者あるいは配信依頼者が企業等である場合には、例えば、配信する映像の題名とそのチャンネル番号等を掲載したＷｅｂページ（番組Ｗｅｂページ）をインターネット９上に公開するようにする。そして、この番組Ｗｅｂページは、チャンネル番号をクリックすると、管理サーバ６をアクセスしてクリックしたチャンネル番号が設定された映像の視聴要求ができる機能を備えるようにする。【０１７１】  （２）また、配信依頼者が個人であって、配信依頼した映像を家族や友人等の特定の個人に視聴して欲しい場合には、システム管運営者は個人用の視聴要求用Ｗｅｂページを公開する。そして、視聴者はこの視聴要求用Ｗｅｂページにチャンネル番号を入力して管理サーバ６にチャンネル番号を送信するようにする。この場合、配信依頼者は、配信依頼者に割り付けられたチャンネル番号、すなわち、配信する映像に設定されたチャンネル番号を、事前に視聴して欲しい家族や友人等に連絡する。【０１７２】  （３）管理サーバ６は、視聴者の携帯電話機７から視聴要求に伴なうチャンネル番号を取得すると、視聴配信制御プログラムを作動させて、取得したチャンネル番号がチャンネル番号管理データベースＡに登録されているか否かを判定する処理を行なう。この判定の結果、チャンネル番号が登録されていると、このチャンネル番号に対応して、チャンネル番号管理データベースＡに登録されているサーバ区分ａ４のデータを求める処理を行なう。続いて、この求めたサーバ区分ａ４に対応してサーバデータベースＢに登録されている映像蓄積サーバのＵＲＬ（ｂ３）を求める処理を行なう。【０１７３】  （４）続いて、管理サーバ６の視聴配信制御プログラムは、上記（３）で求めた映像蓄積サーバのＵＲＬ（ｂ３）と、視聴者の携帯電話機７から取得したチャンネル番号および携帯電話機サービス会社に係る情報に基づいて、視聴者が配信要求したチャンネル番号に該当する映像が蓄積されている映像蓄積サーバ５の映像保存用ＵＲＬを求める処理を行なう。この処理により、視聴配信制御プログラムは、配信要求された映像を蓄積する映像蓄積サーバ５の映像保存用ＵＲＬは、前記した映像保存用ＵＲＬ（Ｕ１）として作成することができる。【０１７４】  （５）続いて、管理サーバ６の視聴配信制御プログラムは、上記（４）で作成した映像保存用ＵＲＬ（Ｕ１）を、配信要求を行なった携帯電話機７に送信する。【０１７５】  （６）携帯電話機７に搭載されているＷｅｂプラウザソフトウエアは、映像蓄積サーバ５の映像配信処理プログラムは、上記（５）の処理により映像保存用ＵＲＬ（Ｕ１）を受信すると、この映像保存用ＵＲＬ（Ｕ１）に記憶されている広告付き映像データを取得する処理を行なう。これにより、映像蓄積サーバ５の映像配信処理プログラムは、映像保存用ＵＲＬ（Ｕ１）に記憶されている広告付き映像データを携帯電話機７に配信する処理を行なうことができるので、視聴者の携帯電話機７は、視聴要求したチャンネル番号に係る広告付き映像を視聴することができるようになる。【０１７６】  なお、上記した映像識別情報を採用した本発明の第２の実施形態においては、管理サーバ６の視聴配信制御プログラムは次のような処理を行なって、視聴要求された映像を蓄積する映像蓄積サーバ５の映像保存用ＵＲＬを求める処理を行なう。【０１７７】  （１）携帯電話機７からチャンネル番号を取得すると、取得したチャンネル番号について映像識別情報データベースＤを検索する処理を行なう。そして、検索されたチャンネル番号ａ１に対応する映像識別情報ｄ１を求めることができると、求めた映像識別情報ｄ１に対応して映像識別情報データベースＤに登録されている配信期間ｄ２が、本日の日付（年月日時）に含まれているか否かを判定する。そして、配信期間ｄ２が視聴要求した本日の日付に含まれている場合には、その映像識別情報を求める。この判定結果に基づいて、視聴要求された映像を蓄積する映像蓄積サーバ５の映像保存用ＵＲＬを、ステップＳ２８により取得したチャンネル番号とこの求めた映像識別情報を含む前記した映像保存用ＵＲＬ（Ｕ３）として作成する処理を行なう。なお、映像識別情報データベースＤに、配信期間ｄ２が本日の条件を満たしている映像識別情報が含まれていない場合には、「配信期間終了」を示すメッセージを携帯電話機７に表示する処理を行なう。【０１７８】  （２）上記（１）の処理において、取得したチャンネル番号に対応して映像識別情報データベースＤに複数の映像識別情報が登録されていると、配信期間ｄ２が本日の日付に含まれている映像識別情報を選択する処理を行なうようにする。【０１７９】  続いて、管理サーバ６の視聴配信制御プログラムは、上記（１）で作成した映像保存用ＵＲＬ（Ｕ３）を、配信要求を行なった携帯電話機７に送信する。これにより、映像蓄積サーバ５は、視聴要求を行なった携帯電話機７に視聴要求を行なったチャンネル番号に係る映像データを配信することができる。【０１８０】  視聴者の端末装置８が管理サーバ６をアクセスして視聴要求を行なうときの管理サーバ６の視聴配信制御の処理は、上記携帯電話機７の処理とほぼ同じ内容になるが、映像蓄積サーバ５の映像保存用ＵＲＬのファイル名の拡張子は、パーソナルコンピュータ用の拡張子、例えば、［ｗｍｖ］を使用するようにする。これにより、視聴者の端末装置８は視聴要求した映像をストリーミング映像として視聴することが可能になる。【０１８１】  上記した本発明のシステムにおいては、配信依頼者の携帯電話機１等から静止画像の配信要求がメールサーバ３に送信される場合があり得る。この対策として、例えば、メールサーバ３は携帯電話機１等から映像データを受信すると、受信した映像データのファイル名の拡張子をチェックし、この拡張子が静止画像に係る拡張子であると以降の配信依頼の処理を実行しない等、適切な処理を行なうようにする。
【図面の簡単な説明】
【０１８２】
【図１】  本発明のシステムを実施するためのシステム構成の一例を示す図である。
【図２】  図１に示す管理サーバが備えているチャンネル番号管理データベースのデータ構成の一例を説明するための図である。
【図３】  同じく、管理サーバが備えているサーバデータベースのデータ構成の一例を説明するための図である。
【図４】  同じく、管理サーバが備えているユーザー管理データベースのデータ構成の一例を説明するための図である。
【図５】  配信依頼者がユーザー登録を行なうときの手順と、配信依頼者が所有している携帯電話機の機体番号を、管理サーバをアクセスして登録するときの手順を説明するための図である。
【図６】  ユーザー登録の申請を行なった配信依頼者の携帯電話機に対して、システム管理運営者側が送付したユーザー登録完了のメールの一例を説明するための図である。
【図７】  管理サーバが携帯電話機に表示するＷｅｂページであって、映像データをアップロードするためのログイン用Ｗｅｂページの一例を説明するための図である。
【図８】  同じく、管理サーバが携帯電話機に表示するＷｅｂページであって、映像アップロード用Ｗｅｂページの一例を説明するための図である。
【図９】  同じく、管理サーバが携帯電話機に表示するＷｅｂページであって、携帯電話機１の機体番号を管理サーバに送信（登録）することについて、配信依頼者の承諾を得るためのＷｅｂページの一例を説明するための図である。
【図１０】  同じく、管理サーバが携帯電話機に表示するＷｅｂページであって、配信依頼者の機体番号の登録完了を通知するためのＷｅｂページの一例を説明するための図である。
【図１１】  本発明のシステムにおいて、配信依頼者が携帯電話機で撮像した映像データをメールサーバに送信して映像蓄積サーバに蓄積するまでの処理の流れを説明するための図である。
【図１２】  管理サーバが携帯電話機に表示するＷｅｂページであって、配信依頼される前記映像データを、予め前記配信依頼者に割り付けられたチャンネル番号と関連付けしてメールサーバに送信させる操作を支援するためのＷｅｂページの一例を説明するための図である。
【図１３】  同じく、管理サーバが携帯電話機に表示するＷｅｂページであって、携帯電話機で撮像した映像を添付したメールを、メールサーバに送信することを依頼するためのＷｅｂページの一例を説明するための図である。
【図１４】  管理サーバが備えている映像識別情報データベースのデータ構成の一例を説明するための図である。
【符号の説明】
【０１８３】  １ａ、１ｂ：配信依頼者の携帯電話機
２：配信依頼者のパーソナルコンピュータ（端末装置）
３：メールサーバ
４：映像編集サーバ
５：映像蓄積サーバ
６：管理サーバ
７ａ、７ｂ：視聴者の携帯電話機
８ａ、８ｂ：視聴者のパーソナルコンピュータ（端末装置）
９：インターネット
Ａ：チャンネル番号管理データベース
Ｂ：サーバデータベース
Ｃ：ユーザー管理データベース
Ｄ：映像識別情報データベース
【図１】
2007300588.tif 000003
【図２】
2007300588.tif 000004
【図３】
2007300588.tif 000005
【図４】
2007300588.tif 000006
【図５】
2007300588.tif 000007
【図６】
2007300588.tif 000008
【図７】
2007300588.tif 000009
【図８】
2007300588.tif 000010
【図９】
2007300588.tif 000011
【図１０】
2007300588.tif 000012
【図１２】
2007300588.tif 000013
【図１１】
2007300588.tif 000014
【図１３】
2007300588.tif 000015
【図１４】
2007300588.tif 000016